(57)【要約】【課題】複数の移動通信システムが混在する際において、それぞれの移動通信システムに対応する基地局装置およびシステムインフォメーションの通知方法を提供すること。【解決手段】移動端末装置１０にシステムインフォメーションを通知する基地局装置２０が、複数のコンポーネントキャリアで構成されるシステム帯域におけるシステムインフォメーションの変更情報を設定し、変更情報を複数のコンポーネントキャリアを用いて各コンポーネントキャリアに対応する移動端末装置１０に通知する。移動端末装置１０は、変更情報の通知により少なくとも１つのコンポーネントキャリアを介してシステム帯域におけるシステムインフォメーションの変更を認識し、システムインフォメーションを受信する構成とした。【選択図】図７
2011146931.tif 000002
【特許請求の範囲】
【請求項１】
複数のコンポーネントキャリアで構成されるシステム帯域のシステムインフォメーションの変更情報を生成する変更情報生成部と、
前記変更情報を、前記複数のコンポーネントキャリアを用いて各コンポーネントキャリアに対応する移動端末装置に通知する通知部とを有し、
前記変更情報は、少なくとも１つのコンポーネントキャリアを介して前記システム帯域におけるシステムインフォメーションの変更を前記移動端末装置に認識させ、前記移動端末装置に前記システムインフォメーションを受信させることを特徴とする基地局装置。
【請求項２】
前記変更情報は、前記システム帯域の前記システムインフォメーションの変更を、全てのコンポーネントキャリアの前記システムインフォメーションの変更として前記移動端末装置に認識させ、前記移動端末装置に前記全てのコンポーネントキャリアの前記システムインフォメーションを受信させることを特徴とする請求項１に記載の基地局装置。
【請求項３】
前記複数のコンポーネントキャリアをグループ分けし、各グループに属するコンポーネントキャリアを特定するためのグループ情報を生成するグループ情報生成部を有し、
前記通知部は、前記グループ情報を前記移動端末装置に通知すると共に、前記変更情報を前記システムインフォメーションが変更された前記グループ内のコンポーネントキャリアを用いて前記移動端末装置に通知し、
前記変更情報は、前記グループ内のいずれかのコンポーネントキャリアのシステムインフォメーションの変更を、前記グループ内の全てのコンポーネントキャリアの前記システムインフォメーションの変更として前記移動端末装置に認識させ、前記移動端末装置に前記グループ情報によって特定される前記グループ内の全てのコンポーネントキャリアの前記システムインフォメーションを受信させることを特徴とする請求項１に記載の基地局装置。
【請求項４】
前記各グループにおいて前記変更情報の通知用のコンポーネントキャリアを前記移動端末装置に特定させるための通知キャリア特定情報を生成する通知キャリア特定情報生成部を有し、
前記通知部は、前記通知キャリア特定情報を前記移動端末装置に通知すると共に、前記変更情報を前記変更情報の通知用のコンポーネントキャリアを用いて前記移動端末装置に通知することを特徴とする請求項３に記載の基地局装置。
【請求項５】
前記変更情報は、前記グループ内における特定コンポーネントキャリアのシステムインフォメーションの変更を示し、前記グループ内において前記システムインフォメーションが変更されたコンポーネントキャリアを前記移動端末装置に認識させ、前記移動端末装置に当該コンポーネントキャリアの前記システムインフォメーションを受信させることを特徴とする請求項３に記載の基地局装置。
【請求項６】
前記各グループにおいて前記変更情報の通知用のコンポーネントキャリアを前記移動端末装置に特定させるための通知キャリア特定情報を生成する通知キャリア特定情報生成部を有し、
前記通知部は、前記通知キャリア特定情報を前記移動端末装置に通知すると共に、前記変更情報を前記変更情報の通知用のコンポーネントキャリアを用いて前記移動端末装置に通知することを特徴とする請求項５に記載の基地局装置。
【請求項７】
前記変更情報は、前記システム帯域内における特定コンポーネントキャリアのシステムインフォメーションの変更を示し、前記システム帯域内において前記システムインフォメーションが変更されたコンポーネントキャリアを前記移動端末装置に認識させ、前記移動端末装置に当該コンポーネントキャリアの前記システムインフォメーションを受信させることを特徴とする請求項１に記載の基地局装置。
【請求項８】
前記システム帯域において前記変更情報の通知用のコンポーネントキャリアを前記移動端末装置に特定させるための通知キャリア特定情報を生成する通知キャリア特定情報生成部を有し、
前記通知部は、前記通知キャリア特定情報を前記移動端末装置に通知すると共に、前記変更情報を前記変更情報の通知用のコンポーネントキャリアを用いて前記移動端末装置に通知することを特徴とする請求項７に記載の基地局装置。
【請求項９】
同一期間に前記複数のコンポーネントキャリアで前記システムインフォメーションが変更され、前記システムインフォメーションの通知に用いる当該複数のコンポーネントキャリアがサブフレーム単位で切り替えられる場合に、前記移動端末装置に当該複数のコンポーネントキャリアにおける受信サブフレームを特定するためのサブフレーム特定情報を生成するサブフレーム特定情報生成部を有し、
前記通知部は、前記サブフレーム特定情報を前記移動端末装置に通知することを特徴とする請求項１から請求項８のいずれかに記載の基地局装置。
【請求項１０】
移動端末装置にシステムインフォメーションを通知する基地局装置が、複数のコンポーネントキャリアで構成されるシステム帯域の前記システムインフォメーションの変更情報を生成するステップと、
前記基地局装置が、前記変更情報を前記複数のコンポーネントキャリアを用いて各コンポーネントキャリアに対応する移動端末装置に通知するステップと、
前記移動端末装置が、前記変更情報の通知により少なくとも１つのコンポーネントキャリアを介して前記システム帯域におけるシステムインフォメーションの変更を認識し、前記システムインフォメーションを受信するステップを備えることを特徴とするシステムインフォメーションの通知方法。
【発明の詳細な説明】
【技術分野】
【０００１】
本発明は、次世代移動通信システムにおける基地局装置およびシステムインフォメーションの通知方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband Code Division Multiple Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（基地局装置や移動端末装置など）が必要となることが考えられる。
【先行技術文献】
【非特許文献】
【０００４】
【非特許文献１】3GPP, TR25.912 (V7.1.0), "Feasibilitystudy for Evolved UTRA and UTRAN", Sept. 2006
【発明の概要】
【発明が解決しようとする課題】
【０００５】
本発明はかかる点に鑑みてなされたものであり、複数の移動通信システムが混在する際において、それぞれの移動通信システムに対応する基地局装置およびシステムインフォメーションの通知方法を提供することを目的とする。
【課題を解決するための手段】
【０００６】
本発明の基地局装置は、複数のコンポーネントキャリアで構成されるシステム帯域のシステムインフォメーションの変更情報を生成する変更情報生成部と、前記変更情報を、前記複数のコンポーネントキャリアを用いて各コンポーネントキャリアに対応する移動端末装置に通知する通知部とを有し、前記変更情報は、少なくとも１つのコンポーネントキャリアを介して前記システム帯域におけるシステムインフォメーションの変更を前記移動端末装置に認識させ、前記移動端末装置に前記システムインフォメーションを受信させることを特徴とする。
【発明の効果】
【０００７】
本発明によれば、システム帯域におけるシステムインフォメーションの変更が複数のコンポーネントキャリアを用いて各コンポーネントキャリアに対応する移動端末装置に通知されるため、複数の移動通信システムが混在しても各移動通信システムの移動端末装置にシステムインフォメーションの変更を認識させることができる。また、複数のコンポーネントキャリアを介してシステムインフォメーションを受信する移動端末装置に、一部のコンポーネントキャリアを介してシステムインフォメーションの変更を認識させることができる。
【図面の簡単な説明】
【０００８】
【図１】ＬＴＥシステムのシステム帯域の説明図である。
【図２】移動通信システムの構成の説明図である。
【図３】基地局装置の全体構成の説明図である。
【図４】移動端末装置の全体構成の説明図である。
【図５】基地局装置が有するベースバンド信号処理部の機能ブロック図である。
【図６】移動端末装置が有するベースバンド信号処理部の機能ブロック図である。
【図７】報知情報の無線リソースに対する割り当て構成の一例を示す図である。
【図８】システムインフォメーションの変更タイミングの説明図である。
【図９】ステムインフォメーション変更の通知方法の説明図である。
【図１０】移動端末装置の受信方法について説明図である。
【図１１】移動端末装置による第２の受信方法の詳細説明図である。
【発明を実施するための形態】
【０００９】
図１は、下りリンクで移動通信が行われる際の周波数使用状態を説明するための図である。図１に示す例は、複数のコンポーネントキャリアで構成される相対的に広い第１システム帯域を持つ第１移動通信システムであるＬＴＥ−Ａシステムと、相対的に狭い（ここでは、一つのコンポーネントキャリアで構成される）第２システム帯域を持つ第２移動通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数領域（コンポーネントキャリア：ＣＣ）となっている。このように複数の基本周波数領域を一体として広帯域化することをキャリアアグリゲーションという。
【００１０】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１１】
ところで、ＬＴＥシステムにおいて使用される報知情報は、ＭＩＢ（Master  Information  Block）及びＳＩＢ（System  Information  Block）に分類されている。この場合、ＭＩＢには、下りリンクを受信するための必要な情報（下りリンクの帯域幅、下りリンク制御チャネル構成等）が含まれている。ＳＩＢは、ＳＩＢ１からＳＩＢｘに分類されており、ＳＩＢ１には後続のＳＩＢのスケジューリング情報、ＳＩＢ２以降にはセル単位の報知情報等のシステムインフォメーションがそれぞれ含まれている。また、システムインフォメーションの変更は、ＳＩＢ１に含まれるタグ情報（System  Info  Value  Tag）やＰＣＨ（Paging  Channel）のフラグによって移動端末装置に認識される。
【００１２】
ＬＴＥシステムでは、移動端末装置が単一のコンポーネントキャリアにおいて、上記したシステムインフォメーションの変更をモニタすることで、システムインフォメーションの変更時に移動端末装置にシステムインフォメーションを再受信（更新）する。このＬＴＥシステムのシステムインフォメーションの通知方法を単純にＬＴＥ−Ａシステムに適用した場合には、全てのコンポーネントキャリアにおいて、システムインフォメーションの変更をモニタしなければならず、移動端末装置にとって煩わしい処理となることが想定される。
【００１３】
そこで、本発明者らは、この問題点を解決するために、本発明をするに至った。すなわち、本発明の骨子は、複数のコンポーネントキャリアで構成されるシステム帯域をもつ移動通信システムにおけるシステムインフォメーションの変更時に、移動端末装置に一部のコンポーネントキャリアを介してシステムインフォメーションの変更を認識させることである。
【００１４】
以下、本発明の実施の形態について、添付図面を参照して詳細に説明する。ここでは、ＬＴＥシステムとＬＴＥ−Ａシステムとが重複して構築されている移動通信システムにおける基地局装置及び移動端末装置について説明する。
【００１５】
図２を参照しながら、本発明の実施例に係る移動端末装置（ＵＥ）１０及び基地局装置（Ｎｏｄｅ  Ｂ）２０を有する移動通信システム１について説明する。図２は、本実施の形態に係る移動端末装置１０及び基地局装置２０及びを有する移動通信システム１の構成を説明するための図である。なお、図２に示す移動通信システム１は、上記した通り、ＬＴＥシステム及びＬＴＥ−Ａシステムが包含されるシステムである。ＬＴＥ−Ａは、ＩＭＴ−Ａｄｖａｎｃｅｄと呼ばれても良いし、４Ｇと呼ばれても良い。
【００１６】
図２に示すように、移動通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００１７】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：  User  Equipment）でよい。
【００１８】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００１９】
ここで、ＬＴＥシステムにおける通信チャネルについて説明する。下りリンクについては、各移動端末装置１０で共有されるＰＤＳＣＨ（Physical  Downlink  Shared  Channel）と、下りＬ１／Ｌ２制御チャネル（ＰＤＣＣＨ（Physical  Downlink  Control  Channel）、ＰＣＦＩＣＨ（Physical  Control  Format  Indicator  Channel)、ＰＨＩＣＨ（Physical  Hybrid-ARQ  Indicator  Channel））とが用いられる。このＰＤＳＣＨにより、ユーザデータ、すなわち、通常のデータ信号が伝送される。送信データは、このユーザデータに含まれる。なお、基地局装置２０で移動端末装置１０に割り当てたコンポーネントキャリア情報やスケジューリング情報は、Ｌ１／Ｌ２制御チャネルにより移動端末装置１０に通知される。
【００２０】
上りリンクについては、各移動端末装置１０で共有して使用されるＰＵＳＣＨ（Physical  Uplink   Shared  Channel）と上りリンクの制御チャネルであるＰＵＣＣＨ（Physical  Uplink  Control  Channel）とが用いられる。このＰＵＳＣＨにより、ユーザデータが伝送される。また、ＰＵＣＣＨは、サブフレーム内周波数ホッピングが適用され、下りリンクの無線品質情報（ＣＱＩ:Channel  Quality  Indicator）、ＡＣＫ/ＮＡＣＫ等が伝送される。
【００２１】
図３を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。
【００２２】
下りリンクにより基地局装置２０から移動端末装置１０に送信されるユーザデータは、基地局装置２０の上位に位置する上位局装置３０から伝送路インターフェース２０６を介してベースバンド信号処理部２０４に入力される。
【００２３】
ベースバンド信号処理部２０４において、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われて、送受信部２０３に転送される。
【００２４】
また、ベースバンド信号処理部２０４は、報知チャネルにより、同一セル５０に接続する移動端末装置１０に対して、各移動端末装置１０が基地局装置２０との無線通信するための制御情報を通知する。当該セル５０における通信のための報知情報には、例えば、上述したＭＩＢ及びＳＩＢやＰＲＡＣＨにおけるランダムアクセスプリアンブルの信号を生成するためのルート系列の識別情報（Root  Sequence  Index）等が含まれる。
【００２５】
送受信部２０３においては、ベースバンド信号処理部２０４から出力されたベースバンド信号を無線周波数帯に変換する周波数変換処理が施され、その後、アンプ部２０２で増幅されて送受信アンテナ２０１より送信される。
【００２６】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００２７】
ベースバンド信号処理部２０４においては、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２０６を介して上位局装置３０に転送される。
【００２８】
呼処理部２０５は、通信チャネルの設定や解放等の呼処理や、基地局装置２０の状態管理や、無線リソースの管理を行う。
【００２９】
次に、図４を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００３０】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００３１】
一方、上りリンクのユーザデータについては、アプリケーション部１０５からベースバンド信号処理部１０４に入力される。ベースバンド信号処理部１０４においては、再送制御（Ｈ−ＡＲＱ（Hybrid  ARQ））の送信処理や、チャネル符号化、ＤＦＴ処理、ＩＦＦＴ処理等が行われて送受信部１０３に転送される。送受信部１０３においては、ベースバンド信号処理部１０４から出力されたベースバンド信号を無線周波数帯に変換する周波数変換処理が施され、その後、アンプ部１０２で増幅されて送受信アンテナ１０１より送信される。
【００３２】
図５は、本実施の形態に係る基地局装置２０が有するベースバンド信号処理部２０４の機能ブロック図であり、主にベースバンド信号処理部２０４における送信処理部の機能ブロックを示している。なお、図５では、基地局装置２０の配下となる移動端末装置１０に対する送信データが上位局装置３０から基地局装置２０に対して転送される下りリンク構成について説明する。また、図５では、コンポーネントキャリア数がＭ個（ＣＣ＃１〜ＣＣ＃Ｍ）の移動通信システム１に対応した基地局構成が例示されている。
【００３３】
データ生成部３０１は、上位局装置３０から転送された送信データをユーザ別にユーザデータとして出力する。制御情報生成部３１８は、ＳＩＢ等の制御信号をユーザ別に上位レイヤの上位制御信号として出力する。上述したようにＳＩＢ１は、後続ＳＩＢのスケジューリング情報やシステムインフォメーションの変更の有無を示すタグ情報を含んでいる。タグ情報は、システムインフォメーションが変更された場合に、制御情報生成部３１８によってインクリメントされる。また、後続ＳＩＢ（ＳＩＢ２−９等）は、セル単位の報知情報等のシステムインフォメーションを含んでいる。コンポーネントキャリア選択部３０２は、移動端末装置１０との無線通信に使用されるコンポーネントキャリアをユーザ毎に選択する。
【００３４】
スケジューリング部３００は、コンポーネントキャリアＣＣ＃１に関するリソース割り当てを制御しており、ＬＴＥ端末ユーザとＬＴＥ−Ａ端末ユーザとを区別してスケジューリングを行う。また、スケジューリング部３００は、上り／下り共有制御チャネルのリソース割当てにおいてキャリアセグメントを考慮する。また、スケジューリング部３００は、上位局装置３０から送信データ及び再送指示が入力されると共に、上りリンクの信号を測定した受信部からチャネル推定値やリソースブロックのＣＱＩが入力される。スケジューリング部３００は、上位局装置３０から入力された再送指示、チャネル推定値及びＣＱＩを参照しながら、上下制御信号及び上下共有チャネル信号のスケジューリングを行う。移動通信における伝搬路は、周波数選択性フェージングにより周波数ごとに変動が異なる。そこで、ユーザ端末へのユーザデータ送信時に、各ユーザ端末に対してサブフレーム毎に通信品質の良好なリソースブロックを割り当てる適応周波数スケジューリングが適用される。適応周波数スケジューリングでは、各リソースブロックに対して伝搬路品質の良好なユーザ端末を選択して割り当てる。そのため、スケジューリング部３００は、各ユーザ端末からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。
【００３５】
基地局装置２０のベースバンド信号処理部２０４は、データ生成部３０１から出力されるユーザデータ及び制御情報生成部３１８から出力されるＳＩＢを伝送する共有データチャネル（ＰＤＳＣＨ）をユーザ毎にチャネル符号化するチャネル符号化部３０３と、チャネル符号化された送信データをユーザ毎に変調する変調部３０４と、変調された送信データを無線リソースにマッピングするマッピング部３０５とを備えている。
【００３６】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通制御チャネル用制御情報生成部３０７を備えている。下り共通制御チャネル用制御情報生成部３０７は、下り共通制御チャネル用制御情報としてＭＩＢを伝送する報知チャネル（ＰＢＣＨ：Physical  Broadcast  Channel）やＳＩＢの割り当てリソースブロック位置を通知するＲＢ位置情報（ＰＤＣＣＨ）を生成する。ＲＢ位置情報は、ＰＤＣＣＨの共通サーチスペースに配置される。ベースバンド信号処理部２０４は、下り制御情報生成部３０６及び下り共通制御チャネル用制御情報生成部３０７で生成される制御情報をユーザ毎にチャネル符号化するチャネル符号化部３０８と、チャネル符号化された下り制御情報を変調する変調部３０９とを備えている。
【００３７】
また、ベースバンド信号処理部２０４は、上り共有データチャネル（ＰＵＳＣＨ)を制御するための制御情報である上り共有データチャネル用制御情報をユーザ毎に生成する上り制御情報生成部３１１と、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。上り制御情報生成部３１１は、ＬＴＥ端末ユーザとＬＴＥ−Ａ端末ユーザとを区別して上り共有データチャネル用制御情報を生成する。
【００３８】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力される送信データは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００３９】
図６は、本実施の形態に係る移動端末装置１０が有するベースバンド信号処理部１０４の機能ブロック図であり、主にベースバンド信号処理部１０４における送信処理部の機能ブロックを示している。まず、移動端末装置１０の下りリンク構成について説明する。
【００４０】
基地局装置２０から受信データとして受信された下りチャネル信号は、サイクリックプレフィックス除去部４０１でサイクリックプレフィックスが除去される。サイクリックプレフィックスが除去された下りチャネル信号は、ＦＦＴ部４０２へ入力される。ＦＦＴ部４０２は、下りチャネル信号を高速フーリエ変換（ＦＦＴ：Fast  Fourier  Transform）して時系列の信号から周波数領域の信号に変換し、デマッピング部４０３へ入力する。デマッピング部４０３は、下りチャネル信号をデマッピングし、下りチャネル信号から複数の制御情報が多重された多重制御情報、ユーザデータ、上位制御信号を取り出す。デマッピング部４０３から出力された多重制御情報は、デインタリーブ部４０４でデインタリーブされる。
【００４１】
また、ベースバンド信号処理部１０４は、多重制御情報から下り共通制御チャネル用制御情報を復調する下り共通制御チャネル用制御情報復調部４０５と、多重制御情報から上り共有データチャネル用制御情報を復調する上り共有データチャネル用制御情報復調部４０６と、多重制御情報から下り共有データチャネル用制御情報を復調する下り共有データチャネル用制御情報復調部４０７と、ユーザデータ及び上位制御信号を復調する下り共有データ復調部４０８と、下り共通チャネルデータを復調する下り共通チャネルデータ復調部４０９とを備えている。
【００４２】
下り共通制御チャネル用制御情報復調部４０５は、多重制御情報（ＰＤＣＣＨ）の共通サーチスペースのブラインドデコーディング処理、復調処理、チャネル復号処理等によりユーザ共通の下り制御情報である下り共通制御チャネル用制御情報を取り出す。下り共通制御チャネル用制御情報は、ユーザデータや上位制御情報が伝送されるＰＤＳＣＨを受信するためのＭＩＢや、ＳＩＢの割り当てリソースブロックの位置を含み、下り共有データ復調部４０８へ入力される。上り共有データチャネル用制御情報復調部４０６は、多重制御情報（ＰＤＣＣＨ）のユーザ個別サーチスペースのブラインドデコーディング処理、復調処理、チャネル復号処理等によりユーザ固有の上り制御情報である上り共有データチャネル用制御情報を取り出す。上り共有データチャネル用制御情報は、上り共有データチャネル（ＰＵＳＣＨ)の制御に使用され、下り共通チャネルデータ復調部４０９へ入力される。
【００４３】
下り共有データチャネル用制御情報復調部４０７は、多重制御情報（ＰＤＣＣＨ）のユーザ個別サーチスペースのブラインドデコーディング処理、復調処理、チャネル復号処理等によりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部４０８へ入力される。下り共有データ復調部４０８は、下り共通制御チャネル用制御情報復調部４０５から入力されたＭＩＢやＳＩＢのＲＢ位置情報に基づいて、上位制御情報として送信されたＳＩＢを取得する。また、下り共有データ復調部４０８は、下り共有データチャネル用制御情報復調部４０７から入力された下り共有データチャネル用制御情報に基づいて、ユーザデータを取得する。
【００４４】
下り共通チャネルデータ復調部４０９は、上り共有データチャネル用制御情報復調部４０６から入力された上り共有データチャネル用制御情報に基づいて、下り共通チャネルデータを復調する。復調された復調データ信号及び上位制御信号は、アプリケーション部１０５へ入力される。このように、移動端末装置１０は、基地局装置２０からＭＩＢを受信することで下り共有データチャネル（ＰＤＳＣＨ）を受信可能とし、さらにＳＩＢのＲＢ位置情報を受信することで、下り共有データチャネル（ＰＤＳＣＨ）で伝送されるＳＩＢ等の上位制御信号を受信可能となる。そして、移動端末装置１０が、システムインフォメーションの変更の有無を示すＳＩＢ１のタグ情報、またはＰＤＳＣＨのページングチャネルのフラグをモニタすることで、システムインフォメーションの変更を認識する。なお、システムインフォメーションの通知方法の詳細については後述する。
【００４５】
次に、移動端末装置１０の上りリンク構成について説明する。データ生成部４１１は、上りリンクのユーザデータを生成する。チャネル符号化部４１２は、データ生成部４１１から出力されるユーザデータをチャネル符号化する。変調部４１３は、チャネル符号化された送信データを変調する。ＤＦＴ部４１４は、変調された送信データを離散フーリエ変換（ＤＦＴ：Discrete  Fourier  Transform）して時系列の信号から周波数領域の信号に変換し、マッピング部４１５へ入力する。マッピング部４１５は、下りリンクで通知された割当情報に基づいて、送信データを無線リソースにマッピングする。ＩＦＦＴ部４１６は、送信データを逆高速フーリエ変換して周波数領域の信号から時系列の信号に変換する。サイクリックプレフィックス挿入部４１７は、送信データの時系列信号にサイクリックプレフィックスを挿入する。サイクリックプレフィックスが付加された送信信号は、送受信部１０３に送出される。
【００４６】
図７を参照して、ＭＩＢ及びＳＩＢの無線リソースに対する割り当てについて説明する。図７は、報知情報の無線リソースに対する割り当て構成の一例を示す図である。なお、図７においては、説明の便宜上、１つのコンポーネントキャリアにおける報知情報の無線リソースに対する割り当て構成を示している。図７に示すように、ＭＩＢは、中心帯域１．４ＭＨｚ（中心６ＲＢｓ）において、１０ｍｓｅｃ周期で各無線フレームにおけるＳｕｂｆｒａｍｅ＃０で送信される。また、ＭＩＢには、下り共有データチャネル（ＰＤＳＣＨ）で伝送されるＳＩＢ１を受信するための情報が含まれている。ＭＩＢの割り当て位置は、時間リソース、周波数リソースで固定となっている。このように、ＭＩＢは、固定的なリソースで基地局装置２０から送信されるため、移動端末装置１０に対して特別な通知をすることなく受信される。
【００４７】
ＳＩＢ１は、２０ｍｓｅｃ周期で、無線フレーム番号（ＳＦＮ）が偶数の無線フレームのＳｕｂｆｒａｍｅ＃５で送信される。ＳＩＢ１には、後続ＳＩＢを受信するためのスケジューリング情報及びシステムインフォメーションの変更の有無を示すタグ情報が含まれている。ＳＩＢ１の割り当て位置は、時間リソースで固定、周波数リソースで可変となっている。ＳＩＢ１の周波数リソースは、ＰＤＣＣＨの共通サーチスペースに配置されるＲＢ位置情報で移動端末装置１０に通知される。このように、ＳＩＢ１は、移動端末装置１０にＭＩＢ及びＲＢ位置情報が通知されることで受信される。
【００４８】
ＳＩＢ２以降の後続ＳＩＢは、ＳＩＢ１のスケジューリング情報に基づいて無線リソースにマッピングされる。すなわち、後続ＳＩＢの割り当て位置は、時間リソース、周波数リソースで可変可能となっており、ＳＩＢ１のスケジューリング情報で移動端末装置１０に通知される。このように、後続ＳＩＢは、移動端末装置１０にＳＩＢ１が通知されることで受信される。
【００４９】
例えば、ＳＩＢ２は、無線フレーム番号の０番目のＳｕｂｆｒａｍｅ＃１、＃８、無線フレーム番号の１番目のＳｕｂｆｒａｍｅ＃４、＃７で送信される。ＳＩＢ３、４は、無線フレーム番号の２番目のＳｕｂｆｒａｍｅ＃７、無線フレーム番号の３番目のＳｕｂｆｒａｍｅ＃３、無線フレーム番号の４番目のＳｕｂｆｒａｍｅ＃１、＃７で送信される。ＳＩＢ６は、無線フレーム番号の５番目のＳｕｂｆｒａｍｅ＃１、＃４で送信される。また、ＳＩＢ２には、第１のシステムインフォメーション（ＳＩ−１）、ＳＩＢ３、４には、第２のシステムインフォメーション（ＳＩ−２）、ＳＩＢ６には、第３のシステムインフォメーション（ＳＩ−３）がそれぞれ含まれている。
【００５０】
また、基地局装置２０は、システムインフォメーション毎に、ＳＩＢ２−ｘの繰返し送信が行われる送信Ｗｉｎｄｏｗを設定している。例えば、ＳＩＢ２が繰返し送信される第１のシステムインフォメーション用の第１の送信Ｗｉｎｄｏｗが２５ｍｓｅｃ、ＳＩＢ３、４が繰返し送信される第２のシステムインフォメーション用の第２の送信Ｗｉｎｄｏｗが２５ｍｓｅｃ、ＳＩＢ６が繰返し送信される第３のシステムインフォメーション用の第３の送信Ｗｉｎｄｏｗが１０ｍｓｅｃに設定されている。
【００５１】
そして、送信Ｗｉｎｄｏｗで定められた期間内で、移動端末装置１０がＳＩＢを受信することで、移動端末装置１０に受信したＳＩＢに含まれるシステムインフォメーションを認識させることができる。例えば、移動端末装置１０は、第１の送信Ｗｉｎｄｏｗで繰返し受信したＳＩＢをＳＩＢ２と認識し、受信したＳＩＢ２を合成して第１のシステムインフォメーションを取得する。また、移動端末装置１０は、第２の送信Ｗｉｎｄｏｗで繰返し受信したＳＩＢをＳＩＢ３、４と認識し、受信したＳＩＢ３、４を合成して第２のシステムインフォメーションを取得する。さらに、移動端末装置１０は、第３の送信Ｗｉｎｄｏｗで繰返し受信したＳＩＢをＳＩＢ６と認識し、受信したＳＩＢ６を合成して第３のシステムインフォメーションを取得する。
【００５２】
図８を参照して、システムインフォメーションの変更について説明する。図８は、システムインフォメーションの変更タイミングの説明図である。なお、図８においては、説明の便宜上、１つのコンポーネントキャリアにおける指定期間を示している。
【００５３】
図８に示すように、基地局装置２０には、同一のシステムインフォメーションが繰返し送信される指定期間（Modification  Period）が設定されており、指定期間内にはシステムインフォメーション毎に送信Ｗｉｎｄｏｗが繰返し（例えば、４回）設定されている。基地局装置２０でシステムインフォメーションが変更される場合には、移動端末装置１０にシステムインフォメーションの変更が通知される。この場合、システムインフォメーションの変更の有無は、ＳＩＢ１のタグ情報（System  Info  Value  Tag）のインクリメントまたはページングチャネル（システムインフォメーションを示す１ビットのフラグ）により移動端末装置１０に判断される。そして、移動端末装置１０は、システムインフォメーションの変更と判断すると、指定期間内でシステムインフォメーションを受信する。
【００５４】
このように、移動端末装置１０は、最初に時間リソース及び周波数リソースで無線リソースにおける割り当て位置が固定されたＭＩＢを取得する。移動端末装置１０は、ＭＩＢを読むことでＳＩＢ１の受信が可能となる。移動端末装置１０は、ＳＩＢ１を受信すると、ＳＩＢ１から後続ＳＩＢのスケジューリング情報及びシステムインフォメーションの変更の有無を示すタグ情報を取得する。移動端末装置１０は、タグ情報が前回取得したタグ情報と同一の場合にはシステムインフォメーションが変更していないと判断して、システムインフォメーション（ＳＩＢ２以降）を受信しない。一方、移動端末装置１０は、タグ情報が前回取得したタグ情報に対してインクリメントされている場合にはシステムインフォメーションが変更されたと判断して、ＳＩＢ１から取得したスケジューリング情報に基づいて指定期間内でシステムインフォメーションを再受信する。なお、ここでは、ＳＩＢ１のタグ情報に基づいてシステムインフォメーションの変更の有無を判断する構成としたが、ページングチャネルのフラグにより判断する構成としてもよい。
【００５５】
また、基地局装置２０において、上記したＭＩＢに関する設定は、主に下り共通制御チャネル用制御情報生成部３０７で設定され、ＳＩＢに関する設定は、主に制御情報生成部３１８で設定される。さらに、送信Ｗｉｎｄｏｗに関する設定は、下り共通制御チャネル用制御情報生成部３０７、制御情報生成部３１８、下り制御情報生成部３０６のいずれで設定されてもよい。
【００５６】
次に、図９を参照して、本発明の特徴部分であるシステムインフォメーション変更の通知方法について説明する。図９は、第１から第７の通知方法の一例を示す図である。図９の各通知方法は、４つのコンポーネントキャリアＣＣ＃１からＣＣ＃４からなるシステム帯域をもつ移動通信システムにおいて、一部のコンポーネントキャリアを介して移動端末装置１０にシステムインフォメーションの変更を認識させてシステムインフォメーションを再受信させる方法である。また、図９では、コンポーネントキャリアＣＣ＃３のシステムインフォメーションが変更された場合を例に挙げて説明する。
【００５７】
図９（ａ）は、第１の通知方法を示している。第１の通知方法は、システムインフォメーションの変更を一括で通知する方法であり、システム帯域内における一部のシステムインフォメーション（コンポーネントキャリアＣＣ＃３）の変更を全てのコンポーネントキャリアの変更として移動端末装置１０に認識させる。
【００５８】
この場合、移動端末装置１０は、全てのコンポーネントキャリアＣＣ＃１−＃４においてシステムインフォメーションを再受信する。この構成により、システム帯域内のコンポーネントキャリアのシステムインフォメーションの変更を、ＬＴＥシステムと同様なシグナリングにより通知することが可能となる。また、システムインフォメーションの通知が、特定コンポーネントキャリアに限定されないため、システム帯域の異なる様々な移動通信システムに対応させることが可能となる。
【００５９】
図９（ｂ）は、第２の通知方法を示している。第２の通知方法は、システムインフォメーションの変更をグループ単位で通知する方法であり、グループ内における一部のシステムインフォメーション（コンポーネントキャリアＣＣ＃３）の変更をグループ内の全てのコンポーネントキャリアの変更として移動端末装置１０に認識させる。この場合、基地局装置２０は、複数のコンポーネントキャリアをグループ分けし、事前にグループ毎に同一グループに属するコンポーネントキャリアの周波数配置をグループ情報として，例えば報知チャネルを用いて，移動端末装置１０に通知する。
【００６０】
移動端末装置１０は、グループ内の全てのコンポーネントキャリアＣＣ＃３、＃４においてシステムインフォメーションを再受信する。この構成により、グループ情報のシグナリングの追加のみの変更で、グループ内のコンポーネントキャリアのシステムインフォメーションの変更を通知することが可能となる。また、第２の通知方法は、グループ内のコンポーネントキャリアにおいてシステムインフォメーションを再受信すればよいため、第１の通知方法と比較して処理を低減することが可能となる。
【００６１】
図９（ｃ）は、第３の通知方法を示している。第３の通知方法は、第２の通知方法にグループ内でシステムインフォメーションの変更通知用のコンポーネントキャリアを規定したものである。この場合、基地局装置２０は、事前に変更通知用のコンポーネントキャリアをＡｎｃｈｏｒ情報（通知キャリア特定情報）として移動端末装置１０に通知する。移動端末装置１０は、Ａｎｃｈｏｒ情報で特定される変更通知用のコンポーネントキャリア（例えば、コンポーネントキャリアＣＣ＃３）で通知されたＰＤＣＣＨの共通サーチスペースを受信することで、システムインフォメーションの変更を認識する。
【００６２】
そして、移動端末装置１０は、グループ内のシステムインフォメーションの変更を認識すると、グループ内の全てのコンポーネントキャリアＣＣ＃３、＃４においてシステムインフォメーションを再受信する。この構成により、グループ情報及びＡｎｃｈｏｒ情報のシグナリングの追加のみの変更で、グループ内のコンポーネントキャリアのシステムインフォメーションの変更を通知することが可能となる。また、第３の通知方法は、システムインフォメーションが通知されるコンポーネントキャリアがグループ内で規定されるため、移動端末装置１０の処理を低減することが可能となる。
【００６３】
図９（ｄ）は、第４の通知方法を示している。第４の通知方法は、グループ内においてシステムインフォメーションが変更された特定コンポーネントキャリア（コンポーネントキャリアＣＣ＃３）を通知する方法であり、グループ内におけるシステムインフォメーションの変更を移動端末装置１０に的確に認識させる。この特定コンポーネントキャリアを通知するシグナリングは、ＬＴＥ−Ａシステム対応の移動端末装置１０用に定義されてものであり、ＬＴＥシステム対応の移動端末装置１０に対しては上記したＳＩＢ１のタグ情報やページング情報でシステムインフォメーションの変更が通知される。なお、特定コンポーネントキャリアを通知するシグナリングは、特定コンポーネントキャリアとシステムインフォメーションの変更とを関連付けた情報であれば、どのような構成であってもよい。
【００６４】
ここでは、ＬＴＥシステム対応の移動端末装置１０に対する通知方法は、第２の通知方法と同様なので省略し、ＬＴＥ―Ａシステム対応の移動端末装置１０に対する通知方法について説明する。基地局装置２０は、グループ情報に加えて特定コンポーネントキャリアのシステムインフォメーションの変更を移動端末装置１０に通知する。移動端末装置１０は、グループ情報に基づいて、コンポーネントキャリアＣＣ＃３、＃４のいずれかで通知されたＰＤＣＣＨの共通サーチスペースを受信することで、コンポーネントキャリア＃３のシステムインフォメーションの変更を認識する。
【００６５】
そして、移動端末装置１０は、コンポーネントキャリアＣＣ＃３のシステムインフォメーションの変更を認識すると、コンポーネントキャリアＣＣ＃３においてシステムインフォメーションを再受信する。この構成により、システムインフォメーションが変更されたコンポーネントキャリアを移動端末装置１０に的確に通知することが可能となる。また、第４の通知方法は、特定コンポーネントキャリアにおいてシステムインフォメーションを再受信するため、移動端末装置１０の処理を低減することが可能となる。
【００６６】
図９（ｅ）は、第５の通知方法を示している。第５の通知方法は、第４の通知方法にグループ内でシステムインフォメーションの変更通知用のコンポーネントキャリアを規定したものである。この場合、基地局装置２０は、事前に変更通知用のコンポーネントキャリアをＡｎｃｈｏｒ情報（通知キャリア特定情報）として移動端末装置１０に通知する。移動端末装置１０は、Ａｎｃｈｏｒ情報で特定される変更通知用のコンポーネントキャリア（例えば、コンポーネントキャリアＣＣ＃３）で通知されたＰＤＣＣＨの共通サーチスペースを受信することで、コンポーネントキャリア＃３のシステムインフォメーションの変更を認識する。
【００６７】
そして、移動端末装置１０は、コンポーネントキャリアＣＣ＃３のシステムインフォメーションの変更を認識すると、コンポーネントキャリアＣＣ＃３においてシステムインフォメーションを再受信する。この構成により、グループ情報及びＡｎｃｈｏｒ情報のシグナリングの追加のみの変更で、特定コンポーネントキャリアのシステムインフォメーションの変更を通知することが可能となる。また、第５の通知方法は、システムインフォメーションが通知されるコンポーネントキャリアがグループ内で規定されるため、移動端末装置１０の処理を低減することが可能となる。
【００６８】
図９（ｆ）は、第６の通知方法を示している。第６の通知方法は、全てのコンポーネントキャリアのうちシステムインフォメーションが変更された特定コンポーネントキャリア（コンポーネントキャリアＣＣ＃３）を通知する方法であり、システム帯域内におけるシステムインフォメーションの変更を移動端末装置１０に的確に認識させる。この特定コンポーネントキャリアを通知するシグナリングは、第４の通知方法と同様である。基地局装置２０は、特定コンポーネントキャリアのシステムインフォメーションの変更を移動端末装置１０に通知する。移動端末装置１０は、コンポーネントキャリアＣＣ＃１−＃４のいずれかで通知されたＰＤＣＣＨの共通サーチスペースを受信することで、コンポーネントキャリア＃３のシステムインフォメーションの変更を認識する。
【００６９】
そして、移動端末装置１０は、コンポーネントキャリアＣＣ＃３のシステムインフォメーションの変更を認識すると、コンポーネントキャリアＣＣ＃３においてシステムインフォメーションを再受信する。この構成により、システムインフォメーションが変更されたコンポーネントキャリアを移動端末装置１０に的確に通知することが可能となる。また、第６の通知方法は、特定コンポーネントキャリアにおいてシステムインフォメーションを再受信するため、移動端末装置１０の処理を低減することが可能となる。
【００７０】
図９（ｇ）は、第７の通知方法を示している。第７の通知方法は、第６の通知方法にシステム帯域内でシステムインフォメーションの変更通知用のコンポーネントキャリアを規定したものである。この場合、基地局装置２０は、事前に変更通知用のコンポーネントキャリアをＡｎｃｈｏｒ情報（通知キャリア特定情報）として移動端末装置１０に通知する。移動端末装置１０は、Ａｎｃｈｏｒ情報で特定される変更通知用のコンポーネントキャリア（例えば、コンポーネントキャリアＣＣ＃１）で通知されたＰＤＣＣＨの共通サーチスペースを受信することで、コンポーネントキャリア＃３のシステムインフォメーションの変更を認識する。
【００７１】
そして、移動端末装置１０は、コンポーネントキャリアＣＣ＃３のシステムインフォメーションの変更を認識すると、コンポーネントキャリアＣＣ＃３においてシステムインフォメーションを再受信する。この構成により、Ａｎｃｈｏｒ情報のシグナリングの追加のみの変更で、特定コンポーネントキャリアのシステムインフォメーションの変更を通知することが可能となる。また、第７の通知方法は、システムインフォメーションが通知されるコンポーネントキャリアがグループ内で規定されるため、移動端末装置１０の処理を低減することが可能となる。また、第７の通知方法において、複数の変更通知用のコンポーネントキャリア（例えば、コンポーネントキャリアＣＣ＃１、ＣＣ＃３）を設けてもよい。
【００７２】
なお、第２の通知方法２から第７の通知方法におけるグループ情報、Ａｎｃｈｏｒ情報、特定コンポーネントキャリアを通知するシグナリングは、ＬＴＥ−Ａシステム用に新たに定義されたＳＩＢやその他の報知情報、または制御情報によって通知されてもよい。
【００７３】
また、上記した通知方法では、同時に複数のコンポーネントキャリアの変更が通知される場合がある。このとき、同一のシステムインフォメーションが繰返し送信される指定期間内で、複数のコンポーネントキャリアのシステムインフォメーションを再受信する必要がある。ここで、同時に複数のコンポーネントキャリアにおけるシステムインフォメーションの変更された場合の移動端末装置１０の受信方法について説明する。図１０は、同時に複数のコンポーネントキャリアにおけるシステムインフォメーションの変更された場合の移動端末装置１０の受信方法について説明図である。なお、以下の説明においては、複数のコンポーネントキャリアをシステム帯域とするＬＴＥ−Ａシステム対応の移動端末装置１０の受信方法について説明する。
【００７４】
図１０（ａ）に示す第１の受信方法のように、指定期間を長くとることで、指定期間内で全てのコンポーネントキャリアＣＣ＃１−＃４のシステムインフォメーションを再受信することが可能である。しかしながら、この構成ではＬＴＥ−Ａシステム用に指定期間を長く設定しなければならない。一方、図１０（ｂ）に示す第２の受信方法のように、コンポーネントキャリアＣＣ＃１−＃４の順に、１サブフレーム単位でずらして送信Ｗｉｎｄｏｗを繰返し設定することも可能である。この場合、ＬＴＥ−Ａ用に送信Ｗｉｎｄｏｗを新たに定義する必要があるが、第１の受信方法と比較して指定期間を短くすることが可能となる。
【００７５】
ここで、図１１を参照して、移動端末装置１０による第２の受信方法について詳細に説明する。図１１は、移動端末装置１１による第２の受信方法の詳細説明図である。図１１に示すように、コンポーネントキャリアＣＣ＃１では、奇数番目のサブフレームが送信Ｗｉｎｄｏｗに設定されており、コンポーネントキャリアＣＣ＃２では、偶数番目のサブフレームが送信Ｗｉｎｄｏｗに設定されている。したがって、基地局装置２０は、コンポーネントキャリアＣＣ＃１、＃２を交互に用いて移動端末装置１０にシステムインフォメーション（ＳＩＢ２以降）を通知する。
【００７６】
この場合、ＳＩＢ１は、時間リソースで固定されるため、送信タイミングを変更することができない。このため、ＳＩＢ１は、コンポーネントキャリアＣＣ＃１、＃２において、無線リソースに同一の送信タイミング、同一のリソースブロックに割り当てられている。このＳＩＢ１には、コンポーネントキャリアＣＣ＃１、＃２のスケジューリング情報が含まれており、コンポーネントキャリアＣＣ＃１、＃２のいずれかでＳＩＢ１を受信することで、コンポーネントキャリアＣＣ＃１、＃２でシステムインフォメーションを受信可能となっている。このＬＴＥ−Ａ用の送信Ｗｉｎｄｏｗの設定は、基地局装置２０から移動端末装置１０に通知されるが、ＬＴＥ−Ａシステム用に新たに定義されたＳＩＢやその他の報知情報、または制御情報によって通知されてもよい。
【００７７】
そして、移動端末装置１０は、１サブフレーム毎にコンポーネントキャリアを切り替えてシステムインフォメーションを受信する。この構成により、複数のコンポーネントキャリアをシステム帯域とするＬＴＥ−Ａシステムにおいても指定期間を長くとる必要がない。また、ＬＴＥ−Ａ用の送信Ｗｉｎｄｏｗを新たに設定して、ＬＴＥ−Ａシステム対応の移動端末装置１０に通知するため、ＬＴＥシステム対応の移動端末装置１０に不具合を及ぼすことがない。
【００７８】
以上のように、本実施の形態に係る基地局装置２０によれば、システム帯域におけるシステムインフォメーションの変更が複数のコンポーネントキャリアを用いて各コンポーネントキャリアに対応する移動端末装置に通知されるため、複数の移動通信システムが混在しても各移動通信システムの移動端末装置にシステムインフォメーションの変更を認識させることが可能となる。また、複数のコンポーネントキャリアを介してシステムインフォメーションを受信する移動端末装置１０に、一部のコンポーネントキャリアを介してシステムインフォメーションの変更を認識させることが可能となる。
【００７９】
なお、上記した実施の形態においては、第１の通知方法から第７の通知方法を例示して説明したが、この通知方法に限定されるものではない。一部のコンポーネントキャリアを介して移動端末装置にシステムインフォメーションの変更を認識させてシステムインフォメーションを受信させる方法であれば、どのような通知方法であってもよい。
【００８０】
また、上記した実施の形態においては、第２の受信方法において、複数のコンポーネントキャリア間で送信Ｗｉｎｄｏｗを１サブフレーム単位でずらして設定する構成としたが、この構成に限定されるものではなく、例えば、１サブフレームよりも長い時間間隔を１単位として送信Ｗｉｎｄｏｗをずらして設定してもよい。
【００８１】
また、上記した実施の形態においては、変更情報をＳＩＢ１のタグ情報及びページングチャネルのフラグとして説明したが、この構成に限定されるものではない。変更情報は、移動端末装置にシステムインフォメーションの変更を通知可能であれば、どのような構成であってもよい。
【００８２】
本発明は上記実施の形態に限定されず、様々変更して実施することが可能である。例えば、本発明の範囲を逸脱しない限りにおいて、上記説明におけるコンポーネントキャリアの割り当て、処理部の数、処理手順、コンポーネントキャリアの数、コンポーネントキャリアの集合数については適宜変更して実施することが可能である。その他、本発明の範囲を逸脱しないで適宜変更して実施することが可能である。
【符号の説明】
【００８３】
１  移動通信システム
１０  移動端末装置
２０  基地局装置
３０  上位局装置
４０  コアネットワーク
５０  セル
３００  スケジューリング部
３０１  データ生成部
３０２  コンポーネントキャリア選択部（通知部）
３０３  チャネル符号化部（通知部）
３０４  変調部（通知部）
３０５  マッピング部（通知部）
３０６  下り制御情報生成部
３０７  下り共通制御チャネル用制御情報生成部
３１４  制御チャネル多重部（通知部）
３１５  インタリーブ部（通知部）
３１６  ＩＦＦＴ部（通知部）
３１７  サイクリックプレフィックス挿入部（通知部）
３１８  制御情報生成部（変更情報生成部、グループ情報生成部、通知キャリア情報生成部、サブフレーム特定情報生成部）
４０１  サイクリックプレフィックス除去部
４０２  ＦＦＴ部
４０３  デマッピング部
４０４  デインタリーブ部
４０５  下り共通制御チャネル用制御情報復調部
４０６  上り共有データチャネル用制御情報復調部
４０７  下り共有データチャネル用制御情報復調部
４０８  下り共有データ復調部
４０９  下り共通チャネルデータ復調部
【図１】
2011146931.tif 000003
【図２】
2011146931.tif 000004
【図３】
2011146931.tif 000005
【図４】
2011146931.tif 000006
【図５】
2011146931.tif 000007
【図６】
2011146931.tif 000008
【図７】
2011146931.tif 000009
【図８】
2011146931.tif 000010
【図９】
2011146931.tif 000011
【図１０】
2011146931.tif 000012
【図１１】
2011146931.tif 000013